(57)【要約】【課題】放電ランプの出力状態を正確に検出することができると共に、回路の配置が簡単で、製造コストを抑えられるトランス及びトランス回路を提供する。【解決手段】トランス200は、第１の巻線部11と第２の巻線部12を有するボビンユニット1と、第１の巻線部11に巻き回された一次巻線31と、第２の巻線部12に巻き回されていると共に、一次巻線31と所定の間隔をおいて電気的に連結されている２つの二次巻線32と、２つの二次巻線32の間の第２の巻線部12に巻き回され、第１の巻線部11に至るように延伸された両端部331、332と、両端部331、332の間に第２の巻線部12に巻き回された巻き部333を有する誘導巻線33と、一次巻線31と二次巻線32と誘導巻線33とが磁気回路を形成するようにボビンユニット1に設けられたコアユニット4とを含む。ボビンユニット1はコアユニット4に電気的に接続された二次接地端子127を有する。【選択図】図１
0003158030.tif 000002
【実用新案登録請求の範囲】
【請求項１】
第１の巻線部と第２の巻線部とを有するボビンユニットと、
前記第１の巻線部に巻き回された一次巻線と、
前記第２の巻線部に巻き回されていると共に、前記一次巻線と所定の間隔をおいて電気的に連結されている２つの二次巻線と、
前記２つの二次巻線の間の前記第２の巻線部に巻き回され、前記第１の巻線部に至るように延伸された両端部と、前記両端部の間で前記第２の巻線部に巻き回された巻き部とを有する誘導巻線と、
前記一次巻線と、前記二次巻線と、前記誘導巻線とが磁気回路を形成するように前記ボビンユニットに設けられたコアユニットとを、
含むことを特徴とするトランス。
【請求項２】
前記ボビンユニットはさらに、前記第１の巻線部と前記第２の巻線部とを所定の間隔で離間させて保持させる集成部を有することを特徴とする請求項１に記載のトランス。
【請求項３】
前記第１の巻線部は、複数の導電端子を有し、前記複数の導電端子における２つがそれぞれ対応する前記誘導巻線の両端部に接続されていることを特徴とする請求項２に記載のトランス。
【請求項４】
前記誘導巻線には、前記第１の巻線部と前記第２の巻線部との間における沿面距離と空間距離とが安全規格を満たすように絶縁層が設けられていることを特徴とする請求項１に記載のトランス。
【請求項５】
前記第１の巻線部、前記第２の巻線部及び前記集成部は、それぞれ単品の部材として前記ボビンユニットに構成され、
前記集成部は、第１の軸線方向に沿って長手に延伸され、
前記第１の巻線部と前記第２の巻線部はそれぞれ、前記第１の軸線と直角の第２の軸線において互いに向かいあう第１及び第２方向に沿って前記集成部に取り付けられていることを特徴とする請求項２に記載のトランス。
【請求項６】
前記集成部は、前記第１の巻線部と前記第２の巻線部がそれぞれ係合されるように、第１の係合部と第２の係合部とが前記第１の軸線を挟んで互いに対向して設けられ、
前記第１の巻線部は、前記第１の軸線方向に沿って伸びる中空状の第１の胴部と、該第１の胴部から前記第１の軸線における互いに反対の第３及び第４の方向に向かって突き出た２つの第１のコア取付部とを有し、前記第１の胴部に複数の第１の導電端子が設けられ、
前記第２の巻線部は、前記第１の軸線方向に沿って伸びる中空状の第２の胴部と、該第２の胴部から前記第１の軸線における互いに反対の第３及び第４の方向に向かって突き出た２つの第２のコア取付部とを有し、前記第２の胴部に複数の第２の導電端子が設けられ、
前記コアユニットは、前記第１と第２のコア取付部に取り付けられていることを特徴とする請求項５に記載のトランス。
【請求項７】
前記第１のコア取付部はそれぞれ、前記第１方向側と前記第３方向側、前記第１方向側と前記第４方向側に開放するように前記第１及び第２の軸線に垂直な第３の軸線の方向において互いに対向する上壁と下壁、及び前記上壁と前記下壁に接続されて前記第３の軸線方向に沿って伸びる外壁を有し、
前記第２のコア取付部はそれぞれ、前記第２方向側と前記第３方向側、前記第２方向側と前記第４方向側に開放するように前記第３の軸線の方向において対向する上壁と下壁、及び前記上壁と前記下壁に接続されて前記第３の軸線方向に沿って伸びる外壁を有することを特徴とする請求項６に記載のトランス。
【請求項８】
前記集成部の第１の係合部は、前記第１のコア取付部の上壁が嵌合される２つの上スリット及び前記下壁が嵌合される２つの下スリットを有し、
前記第２の係合部は、前記第２のコア取付部の上壁が嵌合される２つの上スリット及び前記下壁が嵌合される２つの下スリットを有することを特徴とする請求項７に記載のトランス。
【請求項９】
前記集成部はさらに、前記第３の軸線方向において互いに対向すると共に、前記第１の軸線方向に沿って伸びて前記上スリットを形成するためのカバー壁と、互いに前記第１の軸線における前記第３方向、前記第４の方向に伸びて前記下スリットを形成するための２つの底壁を有し、
前記カバー壁と前記２つの底壁とは、前記第３の軸線方向において互いに対向し、
前記２つの底壁の間に、前記第１の係合部側から前記第２の係合部側に向かってスロットが形成され、
前記第２の巻線部から前記第１の巻線部に至るように前記誘導巻線の両端部の延長部分が前記スロットに収容されるように構成されることを特徴とする請求項８に記載のトランス。
【請求項１０】
前記誘導巻線の両端部がそれぞれ、前記第１の巻線部の２つの前記第１の導電端子に接続されていることを特徴とする請求項９に記載のトランス。
【請求項１１】
前記集成部には、前記第２の巻線部から前記第１の巻線部に至る前記誘導巻線の両端部の延伸部分が収容されるスロットが形成されていることを特徴とする請求項５に記載のトランス。
【請求項１２】
前記誘導巻線には、前記第１の巻線部と前記第２の巻線部との間における沿面距離と空間距離とが安全規格を満たすように絶縁層が設けられていることを特徴とする請求項１１に記載のトランス。
【請求項１３】
前記第１の巻線部は、複数の導電端子を有し、前記複数の導電端子における２つがそれぞれ対応する前記誘導巻線の両端部に接続されていることを特徴とする請求項１１に記載のトランス。
【請求項１４】
前記第２の巻線部は、前記コアユニットに電気的に接続される二次接地端子を有することを特徴とする請求項５に記載のトランス。
【請求項１５】
第１の巻線部と第２の巻線部を有するボビンユニットと、
前記第１の巻線部に巻き回された一次巻線と、
前記第２の巻線部に巻き回されていると共に、前記一次巻線と所定の間隔をおいて電気的に連結されている２つの二次巻線と、
前記２つの二次巻線の間の前記第２の巻線部に巻き回され、前記第１の巻線部に至るように延伸された両端部と、前記両端部の間で前記第２の巻線部に巻き回された巻き部とを有する誘導巻線と、
前記一次巻線と、前記二次巻線と、前記誘導巻線とが磁気回路を形成するように前記ボビンユニットに設けられたコアユニットとを有するトランスと、
前記誘導巻線に電気的に接続されており、前記トランスの出力状態を検出する汎用帰還ユニットと、
電源と連結されるように前記一次巻線及び前記汎用帰還ユニットに電気的に接続されて、前記汎用帰還ユニットによって検出された前記トランスの出力状態に応じて前記電源及び前記一次巻線の間を接続・切断するように切替えるスイッチユニットとを含み、
前記汎用帰還ユニットと前記スイッチユニットとは、前記第１及び第２の巻線部の間の沿面距離と空間距離とが安全規格を満たすように前記ボビンユニットの前記第２の巻線部から離れて前記第１の巻線部側に設けられることを特徴とするトランス回路。
【請求項１６】
前記汎用帰還ユニットは、電圧帰還ユニットとして、前記誘導巻線と前記スイッチユニットに電気的に接続され、前記トランスの出力電圧を検出し、前記検出した出力電圧に応じて前記一次巻線及び前記電源の間を接続・切断するように切替えるよう前記スイッチユニットを制御することを特徴とする請求項１５に記載のトランス回路。
【請求項１７】
さらに電源及び前記スイッチユニットに電気的に接続されるように構成されたパワー制御ユニットを有し、
前記汎用帰還ユニットは、
前記トランスの出力電圧を検出するように前記誘導巻線に電気的に接続された電圧帰還サブユニットと、
前記トランスの出力電流を検出するように前記二次巻線に電気的に接続されていると共に、前記トランスの出力電流が検出されたとき、該出力電流を前記パワー制御ユニットに出力するように前記パワー制御ユニットに電気的に接続されている電流帰還サブユニットと、を有し、
前記パワー制御ユニットと前記電圧帰還サブユニットは、前記電圧帰還サブユニットと前記電流帰還サブユニットによって検出された出力電圧及び出力電流に応じて、前記一次巻線及び前記電源の間の接続・切断を切替えるように前記スイッチユニットを制御し、
前記パワー制御ユニットは、前記スイッチユニットによって前記一次巻線及び前記電源の間の接続をするとき、前記一次巻線への電力を制御するように構成されることを特徴とする請求項１５に記載のトランス回路。
【請求項１８】
前記パワー制御ユニットは、前記第１及び第２の巻線部の間の沿面距離と空間距離とが安全規格を満たすように前記ボビンユニットの前記第２の巻線部から離れて前記第１の巻線部側に設けられることを特徴とする請求項１７に記載のトランス回路。
【請求項１９】
前記誘導巻線に、前記第１の巻線部と前記第２の巻線部との間における沿面距離と空間距離とが安全規格を満たすように絶縁層が設けられることを特徴とする請求項１５に記載のトランス回路。
【請求項２０】
さらに、複数の前記トランスを有し、
前記複数のトランスにおける誘導巻線のそれぞれが前記汎用帰還ユニットに並列に接続されることを特徴とする請求項１５に記載のトランス回路。
【請求項２１】
前記コアユニットが接地されていることを特徴とする請求項１５に記載のトランス回路。
【請求項２２】
前記第２の巻線部はさらに、前記コアユニットに接続されて接地させるための二次接地端子を有することを特徴とする請求項１５に記載のトランス回路。
【請求項２３】
前記二次接地端子と前記コアユニットとは、導電性接着剤によって連結されることを特徴とする請求項２２に記載のトランス回路。
【請求項２４】
前記ボビンユニットはさらに、前記第１の巻線部と前記第２の巻線部とを所定の間隔で離間させて保持させる集成部を有することを特徴とする請求項１５に記載のトランス回路。
【考案の詳細な説明】
【技術分野】
【０００１】
本考案は、トランス及びトランス回路に関し、特にトランスの出力状態を検出することができるトランス及びトランス回路に関する。
【背景技術】
【０００２】
従来、液晶表示装置のバックライトとして放電ランプ回路が用いられており、その回路において放電ランプの動作状態を監視し、監視信号に応じて電源を切るか又は電圧を下げるかなどによって回路を保護するように保護回路を配置している。
【０００３】
放電ランプの状態を監視するよう、放電ランプの保護回路は、通常、放電ランプ回路と直接連結されてなるが、これらの回路は互いに絶縁しなければならない。このため、沿面距離（creepage distance）及び空間距離（clearance）を共に十分に確保して回路を配置しなければならない。したがって、回路の配置が複雑になる（例えば、特許文献１〜３参照）。
【０００４】
そこで、沿面距離及び空間距離を共に十分に確保すると共に、回路の配置構成を簡略化するために、放電ランプによる発光を検出する光検出手段として、例えばフォトダイオード等の光電子素子を放電ランプ回路及び保護回路の間に連結してなる技術がある（例えば、特許文献４参照）。
【先行技術文献】
【特許文献】
【０００５】
【特許文献１】台湾公告I287214
【特許文献２】台湾公告M309184
【特許文献３】台湾公告I250340
【特許文献４】台湾公告M244703
【考案の概要】
【考案が解決しようとする課題】
【０００６】
特許文献４に記載の技術のように、光検出手段として光電子素子を用いれば、保護回路は光電子素子を介して放電ランプ回路と直接連結せずに放電ランプの状態を検出することができる。
【０００７】
しかしながら、液晶表示装置の画面が大型化するにつれて、放電ランプの数も増え、放電ランプの数が増えると、光電子素子も多くなるので、コストの高騰につながる。また、複数の放電ランプにおける少数の発光が検知されたとしても該当放電ランプの動作状態を正しく検出できているとは保証しかねるため、なおも改善する余地がある。
本考案は、上記問題点に鑑みてなされたものであり、放電ランプの出力状態を正確に検出することができると共に、回路の配置が簡単で、製造コストが抑えられるトランス及びトランス回路を提供することを目的とする。
【課題を解決するための手段】
【０００８】
上記一の目的を達成するため、本考案は、第１の巻線部と第２の巻線部とを有するボビンユニットと、前記第１の巻線部に巻き回された一次巻線と、前記第２の巻線部に巻き回されていると共に、前記一次巻線と所定の間隔をおいて電気的に連結されている２つの二次巻線と、前記２つの二次巻線の間の前記第２の巻線部に巻き回され、前記第１の巻線部に至るように延伸された両端部と、前記両端部の間で前記第２の巻線部に巻き回された巻き部とを有する誘導巻線と、前記一次巻線と、前記二次巻線と、前記誘導巻線とが磁気回路を形成するように前記ボビンユニットに設けられたコアユニットとを、含むことを特徴とするトランスを提供する。
また、上記他の目的を達成するため、本考案は、前記トランスと、前記誘導巻線に電気的に接続されており、前記トランスの出力状態を検出する汎用帰還ユニットと、電源と連結されるように前記一次巻線及び前記汎用帰還ユニットに電気的に接続されて、前記汎用帰還ユニットによって検出された前記トランスの出力状態に応じて前記電源及び前記一次巻線の間を接続・切断するように切替えるスイッチユニットとを含み、前記汎用帰還ユニットと前記スイッチユニットとは、前記第１及び第２の巻線部の間の沿面距離と空間距離とが安全規格を満たすように前記ボビンユニットの前記第２の巻線部から離れて前記第１の巻線部側に設けられることを特徴とするトランス回路を提供する。
【考案の効果】
【０００９】
本考案のトランスは、第１と第２の巻線部を所定の間隔で離間させて保持させるように組立ると共に、二次巻線に電磁気的に連結された誘導巻線の両端部が第１の巻線部まで延伸されているので、第１と第２の巻線部の間における安全規格を満たした空間距離と沿面距離を確保することができる。また、トランス回路において、汎用帰還ユニットとスイッチユニットとを常にトランスの第１の巻線部よりも高い電圧を持つ第２の巻線部から離れた第１の巻線部側に設けているので、回路の設計における回路レイアウトを簡単にすることができる。
【図面の簡単な説明】
【００１０】
【図１】本考案に係るトランスの一例を示す斜視図である。
【図２】図１のトランスの組立斜視図である。
【図３】図２のトランスの線III-IIIにおける一部断面図である。
【図４】図１のトランスの組立底面図である。
【図５】本考案に係るトランス回路の第１の実施形態を示す斜視図である。
【図６】本考案に係るトランス回路の第２の実施形態を示す斜視図である。
【図７】トランス回路における汎用帰還ユニットの電圧帰還サブユニットの一例を示す回路図である。
【図８】電流検出回路の一例を示す回路図である。
【考案を実施するための形態】
【００１１】
以下、本考案の実施形態を図面に基づいて説明する。なお、類似する構成及び機能を有する構成要素については、同一番号を付してその説明を省略する。
図１は、本実施形態に係るトランスの一例を示す斜視図、図２は、図１のトランスの組立斜視図、図３は、図２における線III-IIIにおける一部断面図、図４は、図１のトランスの組立底面図である。図示の如く、トランス２００は、ボビンユニット１と、一次巻線３１と、２つの二次巻線３２と、誘導巻線３３と、コアユニット４とを含んでなる。
【００１２】
ボビンユニット１は、第１の巻線部１１と、第２の巻線部１２と、第１の巻線部１１と第２の巻線部１２とが所定の間隔をおいて定位されるようにそれらを保持する集成部１３と、を有する。
一次巻線３１は、所定の間隔をおいてボビンユニット１の第１の巻線部１１の両側に巻きまわされている。
二次巻線３２は、一次巻線３１に電磁気的に連結されており、所定の間隔をおいてボビンユニット１の第２の巻線部１２の両側に巻きまわされている。
【００１３】
誘導巻線３３は、第２の巻線３２間の第２の巻線部１２に巻き回されており、一端部３３１と、他端部３３２と、一端部３３１及び他端部３３２（両端部）の間に前記第２の巻線部１２に巻き回された巻き部３３３とを有する。この例においては、誘導巻線３３の一端部３３１と他端部３３２とは、ボビンユニット１の第１の巻線部１１に延伸してなる。誘導巻線３３には、空間距離及び沿面距離が安全基準を満たした絶縁層が設けられている。この安全基準としては、例えば国家電気標準会議(IEC)が定められたIEC60065や、IEC60950、IEC60664-1、例えば電気電子情報技術専門協会によるＶＤＥ規格や、ＵＬ規格、ＴＵＶ規格などがある。なお、誘導巻線３３の絶縁層は、一例として、３７５０ボルト以上の絶縁耐力を有するように構成される。この例では、誘導巻線３３は複数の絶縁層で巻きつけられた銅線、例えば導電性ワイヤで構成される。絶縁層としては、第１と第２の巻線部１１、１２間の空間距離と沿面距離が安全基準を満たすように、ポリテトラフルオロエチレン(Teflon（登録商標）)或いは他の絶縁性材料で構成される。
【００１４】
この例では、第１の巻線部１１、第２の巻線部１２及び集成部１３は、単品の部材としてボビンユニット１に構成され、また集成部１３はＸ軸線方向に沿って長手に延伸されてなる。第１と第２の巻線部１１、１２はそれぞれ、Ｘ軸線と直角のＹ軸線において互いに向かいあうＡ、Ｂ方向に沿って集成部１３に固定されて取り付けられている。
第１の巻線部１１は、Ｘ軸線方向に沿って伸びる中空状第１の胴部１１１と、第１の胴部１１１からＸ軸線における互いに反対のＣ、Ｄ方向に突き出た２つの第１のコア取付部１１２ａ、１１２ｂとを有し、第１の胴部１１１に複数の第１の導電端子１１３が設けられている。第１のコア取付部１１２ａ、１１２ｂはそれぞれ、Ｘ、Ｙ軸線に垂直なＺ軸線の方向において互いに対向する上壁１１４ａ、１１４ｂ及び下壁１１５ａ、１１５ｂと、上壁１１４ａ、１１４ｂ及び下壁１１５ａ、１１５ｂに接続されてＺ軸線方向に沿って伸びる外壁１１６ａ、ｂ（図１においては外壁１１６ｂのみを示す）と、を有し、Ａ方向及びＣ方向・Ｄ方向側に開放するように構成される。
【００１５】
第２の巻線部１２は、Ｘ軸線方向に沿って伸びる中空状の第２の胴部１２１と、第２の胴部１２１からＸ軸線における互いに反対のＣ、Ｄ方向に突き出た２つの第２のコア取付部１２２ａ、１２２ｂとを有し、第２の胴部１２１に複数の第２の導電端子１２３ａ、１２３ｂ、１２３ｃ、１２３ｄなどが設けられている。第２のコア取付部１２２ａ、１２２ｂはそれぞれ、Ｘ、Ｙ軸線に垂直なＺ軸線の方向において互いに対向する上壁１２４ａ、１２４ｂ及び下壁１２５ａ、１２５ｂと、上壁１２４ａ、１２４ｂ及び下壁１２５ａ、１２５ｂ（図１においては下壁１２５ｂのみを示す）に接続されてＺ軸線方向に沿って伸びる外壁１２６ａ、１２６ｂと、を有し、Ｂ方向及びＣ方向・Ｄ方向側に開放するように構成される。
【００１６】
集成部１３は、第１と第２の巻線部１１、１２がそれぞれ係合されるように、第１と第２の係合部１３１、１３２がＸ軸線を挟んで対向して設けられている。
集成部１３の第１の係合部１３１は、第１のコア取付部１１２ａ、１１２ｂの上壁１１４ａ、１１４ｂが嵌合される上スリット１３３ａ、１３３ｂ（図１においては上スリット１３３ｂのみを示す）と、下壁１１５ａ、１１５ｂが嵌合される下スリット１３４ａ、１３４ｂ（図１においては下スリット１３４ｂのみを示す）とが形成されている。
【００１７】
集成部１３の第２の係合部１３２は、第２のコア取付部１２２ａ、１２２ｂの上壁１２４ａ、１２４ｂが嵌合される上スリット１３５ａ、１３５ｂ（図１においては上スリット１３５ａのみを示す）と、下壁１２５ａ、１２５ｂが嵌合される下スリット１３６ａ、１３６ｂとが形成されている。
この例では、集成部１３はさらに、Ｚ軸線方向において互いに対向すると共に、Ｘ軸線方向に沿って伸びて上スリット１３３、１３５を形成するためのカバー壁１３７と、互いにＸ軸線におけるＣ、Ｄ方向に伸びて下スリット１３４、１３６を形成するための２つの底壁１３８ａ、１３８ｂを有する。
【００１８】
第１と第２の巻線部１１、１２及び集成部１３により、上壁１１４、１２４、下壁１１５、１２５、上スリット１３３、１３５、及び下スリット１３４、１３６が形成されるようにしていることから、第１と第２の巻線部１１、１２及び集成部１３間の係合効果を高めるだけでなく、第１と第２の巻線部１１、１２間の沿面距離を長くすることもできる。
集成部１３はさらに、２つの底壁１３８ａ、１３８ｂの間にスロット１３９が第１の係合部１３１側から第２の係合部１３２側に向かって形成され、第２の巻線部１２から第１の巻線部１１に至るように誘導巻線３３の両端部３３１、３３２の延長部分がスロット１３９内に収容される。
また、誘導巻線３３の両端部３３１、３３２は、それぞれ、第１の導電端子１１３ａ、１１３ｂに接続されている。このように、誘導巻線３３は、カバー壁１３７と底壁１３８ａ、１３８ｂとにより画成される集成部１３の境界内に収容される。これによって、Ｚ軸線方向においてトランス２００の全体寸法を小さくすることができる。
【００１９】
コアユニット４は、一次巻線３１と、二次巻線３２と、誘導巻線３３とが共に磁気回路の磁路を形成するようにボビンユニット１に取り付けられている。コアユニット４は、第１と第２の巻線部１１、１２のコア取付部１１２、１２２に取り付けられるように、例えばそれぞれがＹ軸線方向両端より直角に２つの脚部を伸出させた２つのコの字形コア４１ａ、４１ｂを備えている。
第２の巻線部１２はさらに、コアユニット４に接続されて接地させるための二次接地端子１２７を有する。二次接地端子１２７は、トランス２００の二次側によるコアユニット４の反射電圧を無くすことで、トランス２００の一次側と二次側との間の電圧差を従来のものと比べて小さくするのに役立つ。トランス２００の一次側と二次側との間の電圧差が小さくなるため、必要とする安全距離を短縮することができるので、トランスの全体寸法の小型化が可能になる。なお、二次接地端子１２７とコアユニット４との間の接続は、導電性接着剤によって行われる。
【００２０】
図１、２、４に示されるように、本考案のトランス２００を組立てるとき、まず、一次巻線３１がボビンユニット１の第１の巻線部１１に巻き付けられ、二次巻線３２及び誘導巻線３３が第２の巻線部１２に巻き付けられる。そして、第１と第２の巻線部１１、１２が集成部１３に係合されて誘導巻線３３の両端部３３１、３３２が集成部１３のスロット１３９を貫通して第１の巻線部１１まで至るように伸びると共に、半田付けによって第１の導電端子１１３に接続される。最後に、コアユニット４がボビンユニット１に組み込まれてトランス２００が製造される。
【００２１】
（第１の実施形態）
＜トランス回路＞
本実施形態のトランス２００は、図５に示されるトランス回路に適用される。本実施形態のトランス回路において、トランス２００の二次側には、２つの蛍光ランプ１００ａ、１００ｂが取り付けられており、トランス２００の一次側には、汎用帰還ユニット５と、スイッチユニット７と、電源８につなぐパワー制御ユニット６とが設けられている。
トランス２００の二次巻線３２は、２つの放電ランプ１００ａ、１００ｂと互いに接続されており、放電ランプ１００ａ、１００ｂを駆動させる。第２の巻線部１２の二次接地端子１２７がコアユニット４に接続されて、該コアユニット４がアース電位におかれる。また、第１の巻線部１１は、二次接地端子１２７と対応する箇所に、コアユニット４と電気的に接続された一次接地端子１１７を有し（図２を参照）、該一次接地端子１１７によって該コアユニット４がアース電位に保たれる。
【００２２】
汎用帰還ユニット５は、例えば図５に示されるように、電圧帰還サブユニット５１を有し、該電圧帰還サブユニット５１は、トランス２００の誘導巻線３３の両端部３３１、３３２と電気的に接続されており、トランス２００の出力状態を検出する。なお、一例として、トランス２００の出力電圧をトランス２００の出力状態とみなすとする。
スイッチユニット７は、電圧帰還サブユニット５１及びトランス２００の一次巻線３１に電気的に接続されており、電圧帰還サブユニット５１によって検出されたトランス２００の出力状態に応じて一次巻線３１及び電源８の間の接続・切断を切替えるようにする。
【００２３】
電圧帰還サブユニット５１は、誘導巻線３３の他にスイッチユニット７とも電気的に接続されており、誘導巻線３３を経て電圧帰還サブユニット５１がトランス２００における過電圧を検知すると、スイッチユニット７を制御して一次巻線３１及び電源８の間の接続・切断を切替えるようにする。
パワー制御ユニット６は、電源８及びスイッチユニット７の間に電気的に接続されており、スイッチユニット７によって一次巻線３１及び電源８の間を導通させるとき、一次巻線３１へ供給されるパワー量を制御するように構成される。
【００２４】
この例においては、第１と第２の巻線部１１、１２における空間距離と沿面距離に関する安全規格を満たすように、汎用帰還ユニット５、パワー制御ユニット６及びスイッチユニット７をともに、トランス２００のボビンユニット１の第２の巻線部１２から離れた第１の巻線部１１の一側に設けた形態を説明したが、これに制限されない。
【００２５】
（第２の実施形態）
図６は、本考案に係るトランス回路の第２の実施形態を示す斜視図である。第１の実施形態に加えてさらに電流感知回路９を有し、また、汎用帰還ユニット５´は、電圧帰還ユニットとしての電圧帰還サブユニット５１のほか、さらに電流帰還サブユニット５２を有する。
電圧帰還サブユニット５１がトランス２００の出力電圧をスイッチユニット７に帰還させるとき、電流帰還サブユニット５２が例えばランプの過電流のようなトランス２００の出力電流をスイッチユニット７に帰還させるように構成されている。
【００２６】
電流帰還サブユニット５２は、電流感知回路９及びパワー制御ユニット６の間に電気的に接続されている。電流感知回路９は、トランス２００の出力電流を検出するようにトランス２００の二次巻線３２に電気的に接続されている。パワー制御ユニット６は、電流帰還サブユニット５２に電気的に接続されているので、スイッチユニット７によって一次巻線３１と電源８との間を接続したとき、電流感知回路９によってトランス２００の二次側における出力電流を検出し、電流帰還サブユニット５２によって検出された出力電流がパワー制御ユニット６に入力され、その検出された出力電流に応じて、パワー制御ユニット６が一次巻線３１へ供給される電力を制御する。
このように、電圧帰還サブユニット５１とパワー制御ユニット６は、トランス２００の出力状態に応じて、一次巻線３１と電源８との間を接続・切断するようにスイッチユニット７を制御する。即ち、第１の実施形態においては、トランス２００の出力電圧に応じてスイッチユニット７を制御し、第２の実施形態においては、トランス２００の出力電流に応じてスイッチユニット７を制御する。
【００２７】
以上により、各実施形態によれば、図５と図６のような２つのトランス回路保護手段が実現される。即ち、図５においては、トランス回路保護手段は、例えば、電圧帰還サブユニット５１が検出したトランスの出力電圧に応じて作動されるスイッチユニット７によって実施される。一方、図６においては、トランス回路保護手段は、例えば、トランス２００の出力電圧及びトランス２００の二次側における総合出力電流に応じてスイッチユニット７を制御することによって実施される。
なお、図５のように１つのトランス２００を含む構成としてもよく、図６のように複数のトランス２００ａ、２００ｂを含む構成としてもよい。
【００２８】
第２の実施形態においては、トランス２００ａ、２００ｂの誘導巻線３３ａ、３３ｂが互いに接続されると共に、電圧帰還サブユニット５１に並列接続され、４つの放電ランプ１００ｃ、１００ｄ、１００ｅ、１００ｆがトランス回路によって駆動されるように構成される。なお、添付図面に開示された放電ランプ１００の接続は、本考案を実施する一態様を例示するにすぎず、これに制限されないことに留意されたい。
図７は、本実施形態における電圧帰還サブユニット５１の一例を示す回路図である。この電圧帰還サブユニット５１は、トランジスターＴと、複数のダイオードＤ、ＺＤと、複数の抵抗Ｒと、複数の容量Ｃを有する。
【００２９】
図８は、電流検出回路の一例である電流感知回路９の一例を示す回路図である。電流感知回路９は、トランス回路におけるトランス２００の数に応じて１つ以上の抵抗９１と、オプトカプラ−９２とを有する。ここで、図６に示されるトランス回路においては、トランス２００ａ、２００ｂを２つ有するので、電流感知回路９の２つの抵抗９１ａ、９１ｂがそれぞれ、対応するトランス２００ａ、２００ｂの二次巻線３２に電気的に接続され、対応するトランス２００２００ａ、２００ｂからの出力電流Ｉ1、Ｉ2が流れるように構成される。オプトカプラ−９２が２つの抵抗９１ａ、９１ｂ及び電流帰還サブユニット５２の間に電気的に接続され、トランス２００の二次側における総合出力電流が電流帰還サブユニット５２に流れたときに電気的なアイソレーションをすることができる作用を有する。
【００３０】
以上により、本実施形態のトランス２００によれば、二次巻線３２に電磁気的に連結された誘導巻線３３における誘導信号の変動を検出することにより、トランスの出力状態が分かる。また、誘導巻線３３の両端部３３１、３３２が第１の巻線部１１まで延伸されているので、第１と第２の巻線部１１、１２の間の安全規格を満たした空間距離と沿面距離が確保される。トランス２００において汎用帰還ユニット５とパワー制御ユニット６とスイッチユニット７と（又はこれらと他の所定の構成素子と）が常に第１の巻線部１１よりも高い電圧を持つ第２の巻線部１２から離れた第１の巻線部１１側に設けられているので、回路の設計における回路レイアウトを簡単にすることができる。
【符号の説明】
【００３１】
１    ボビンユニット
１００    蛍光ランプ
１１    第１の巻線部
１１１    第１の胴部
１１２    第１のコア取付部
１１３    第１の導電端子
１１４    上壁
１１５    下壁
１１６    外壁
１２    第２の巻線部
１２１    第２の胴部
１２２    第２のコア取付部
１２３    第２の導電端子
１２４    上壁
１２５    下壁
１２６    外壁
１２７    二次接地端子
１３    集成部
１３１    第１の係合部
１３２    第２の係合部
１３３、１３５    上スリット
１３４、１３６    下スリット
１３７    カバー壁
１３８    底壁
１３９    スロット
２００    トランス
３１    一次巻線
３２    二次巻線
３３    誘導巻線
３３１、３３２    端部
３３３    巻き部
４    コアユニット
４１    コア
５、５´    汎用帰還ユニット
５１    電圧帰還サブユニット
５２    電流帰還サブユニット
６    パワー制御ユニット
７    スイッチユニット
８    電源
９    電流感知回路
９１    抵抗
９２    オプトカプラ−
Ｃ    容量
Ｄ、ＺＤ    ダイオード
Ｒ    抵抗
Ｔ    トランジスター
【図１】
0003158030.tif 000003
【図２】
0003158030.tif 000004
【図３】
0003158030.tif 000005
【図４】
0003158030.tif 000006
【図５】
0003158030.tif 000007
【図６】
0003158030.tif 000008
【図７】
0003158030.tif 000009
【図８】
0003158030.tif 000010